(57)【要約】【課題】  格納位置にある照明ユニットをカメラ本体に密接させることのできるカメラを提供する。【解決手段】  回転動作によって照明ユニット（１）の格納位置での保持および保持解除を行うレバー部材（５）と、照明ユニットを格納位置で保持させるようにレバー部材を特定方向に付勢する付勢部材（７）とを有する。レバー部材は、格納位置にある照明ユニットと係合可能であるとともに、非係合状態において照明ユニットとの係合位置よりもレバー部材が特定方向に回転した待機位置にある係合部（５ａ）と、照明ユニットと当接して照明ユニットの動作力が伝達される伝達部（５ｂ）とを有する。照明ユニットが突出位置から格納位置に動作する間に、レバー部材は、照明ユニットの動作力を伝達部で受けて特定方向とは反対方向に回転することにより係合部を待機位置から退避させる。【選択図】  図１
2006003461.tif 000002
【特許請求の範囲】
【請求項１】
カメラ本体から突出した突出位置と前記カメラ本体に格納される格納位置との間で動作可能であり、前記突出位置の方向に付勢された照明ユニットと、
回転動作によって前記照明ユニットの前記格納位置での保持および保持解除を行うレバー部材と、
前記照明ユニットを前記格納位置で保持させるように前記レバー部材を特定方向に付勢する付勢部材とを有し、
前記レバー部材は、
前記格納位置にある前記照明ユニットと係合可能であるとともに、非係合状態において前記照明ユニットとの係合位置よりも前記レバー部材が前記特定方向に回転した待機位置にある係合部と、前記照明ユニットと当接して前記照明ユニットの動作力が伝達される伝達部とを有しており、
前記照明ユニットが前記突出位置から前記格納位置に動作する間に、前記レバー部材は、前記照明ユニットの動作力を前記伝達部で受けて前記特定方向とは反対方向に回転することにより前記係合部を前記待機位置から退避させることを特徴とするカメラ。
【請求項２】
前記照明ユニットは、前記係合部と係合可能な被係合部と、前記伝達部と当接可能な当接部とを有することを特徴とする請求項１に記載のカメラ。
【請求項３】
前記照明ユニットは、前記カメラ本体に回動可能に支持されていることを特徴とする請求項１又は２に記載のカメラ。
【請求項４】
前記係合部は、前記レバー部材の回転軸に対して前記照明ユニットの回動軸側とは反対側の位置で前記照明ユニットと係合することを特徴とする請求項３に記載のカメラ。
【請求項５】
請求項１から４のいずれか１つに記載のカメラと、
該カメラに装着されるレンズ装置とを有することを特徴とするカメラシステム。
【発明の詳細な説明】
【技術分野】
【０００１】
本発明は、カメラ本体から突出した突出位置とカメラ本体に格納される格納位置との間で動作可能な照明ユニットを備えたカメラに関するものである。
【背景技術】
【０００２】
従来、不使用時にはカメラ本体に格納され、使用時のみカメラ本体から突出するストロボユニットがある。このようなストロボユニットを備えたカメラでは、付勢部材によってストロボユニットが突出位置の方向に付勢されている。そして、不使用時には付勢部材の付勢力に抗してストロボユニットを格納位置に保持し、使用時にはストロボユニットを突出位置に移動させるために上記保持状態を解除する係止機構が設けられている（例えば、特許文献１参照）。
【０００３】
この係止機構においては、一部（係合部）がカメラ本体から突出したフック部材を付勢部材の付勢力を用いてストロボユニットに係合させることによって、ストロボユニットを格納位置に保持させている。また、ストロボユニットを格納位置から突出位置に移動させる場合には、フック部材を付勢部材の付勢力に抗して回転させることによって、ストロボユニットおよびフック部材（係合部）の係合を解除している。
【０００４】
ここで、ストロボユニットを突出位置の方向に付勢させる力（ストロボユニットを付勢する付勢部材の力）と、ストロボユニットを格納位置に保持させるフック部材の力（フック部材を付勢する付勢部材の力）との関係によっては、ストロボユニットとカメラ本体との間に隙間が生じてしまうおそれがある。
【０００５】
また、上述したフック部材を用いた機構では、非係合状態にあるフック部材（係合部）とカメラ本体との間に、ストロボユニット（フック部材の係合部と係合する被係合部）を容易に入り込ませるために、ある程度の隙間が必要となる。
【０００６】
このようにストロボユニットおよびカメラ本体間に隙間が生じると、該隙間からゴミ等が進入しやすくなったり、カメラの外観上の品位を低下させてしまったりする。
【０００７】
そこで、ストロボユニットおよびカメラ本体間の隙間を小さくするための隙間調整機構を備えたカメラがある（例えば、特許文献２参照）。
【特許文献１】特開平７−５６２２５号公報（段落番号００２６〜００３０、図１〜図４）
【特許文献２】特開平７−５６２２６号公報（段落番号００２５、図２等）
【発明の開示】
【発明が解決しようとする課題】
【０００８】
しかしながら、特許文献２で提案されている隙間調整機構をカメラに設けると、部品点数が増加するため、カメラの組み立て工数の増加、コストアップおよび大型化を招いてしまう。
【０００９】
一方、上述した隙間を小さくさせる構成としては、フック部材を付勢する力を大きくすることで、ストロボユニットを強い力で格納位置に保持させる構成が考えられる。
【００１０】
しかし、この構成では、フック部材をストロボユニットとの係合から外すための力が大きくなってしまい、例えば、アクチュエータを用いてフック部材を駆動させる場合には、アクチュエータの駆動力を大きくしなければならない。
【００１１】
また、上記の場合には、ストロボユニットの被係合部をフック部材の係合部に係合させる際に、被係合部および係合部間での摩擦力が増加し、該摩擦力によって被係合部および係合部が摩耗してしまうおそれもある。そして、ストロボユニットを格納位置および突出位置間でスムーズに動作させることができなくなってしまう。
【００１２】
本発明の目的は、ストロボユニットおよびカメラ本体間に隙間が生じるのを抑制することができ、ストロボユニットを格納位置および突出位置間でスムーズに動作させることのできるカメラを提供することにある。また、本発明の目的は、比較的小さな力でストロボユニットとの係合を解除できるカメラを提供することにある。
【課題を解決するための手段】
【００１３】
本発明のカメラは、カメラ本体から突出した突出位置とカメラ本体に格納される格納位置との間で動作可能であり、突出位置の方向に付勢された照明ユニットと、回転動作によって照明ユニットの格納位置での保持および保持解除を行うレバー部材と、照明ユニットを格納位置で保持させるようにレバー部材を特定方向に付勢する付勢部材とを有している。そして、レバー部材は、格納位置にある照明ユニットと係合可能であるとともに、非係合状態において照明ユニットとの係合位置よりもレバー部材が特定方向に回転した待機位置にある係合部と、照明ユニットと当接して照明ユニットの動作力が伝達される伝達部とを有している。ここで、照明ユニットが突出位置から格納位置に動作する間に、レバー部材は、照明ユニットの動作力を伝達部で受けて特定方向とは反対方向に回転することにより係合部を待機位置から退避させる。
【発明の効果】
【００１４】
本発明によれば、非係合状態のときに待機位置にある係合部を照明ユニットに係合させることで、照明ユニットをカメラ本体側に近づけることができ、照明ユニットとカメラ本体との間に隙間が生じるのを抑制することができる。また、照明ユニットが突出位置から格納位置に移動する間に、待機位置にある係合部を退避させることで、係合部を照明ユニットに容易に係合させることができる。
【発明を実施するための最良の形態】
【００１５】
以下、本発明の実施例について説明する。
【実施例１】
【００１６】
本発明の実施例１であるカメラシステムについて説明する。本実施例のカメラシステムは、カメラ本体と、該カメラ本体に着脱可能に装着されるレンズ装置とを有している。なお、本実施例ではカメラシステムについて説明するが、レンズ一体型のカメラにも本発明を適用することができる。
【００１７】
図６は、本実施例におけるカメラ本体の外観斜視図である。図６において、カメラ本体３の上面には、照明ユニット１が回動可能に取り付けられている。照明ユニット１は、図６に示すようにカメラ本体３から突出する突出位置（照明光を照射可能な位置）と、カメラ本体３の上面に格納される格納位置との間で回動可能となっている。また、照明ユニット１は、被写体に対して照明光を照射する照明部１ａを有している。
【００１８】
照明ユニット１は、後述する付勢部材４（図１等参照）によって突出位置の方向に付勢されており、カメラ本体３に回動可能に取り付けられたレバー部材３ｃによって照明ユニット１は突出位置に保持される。
【００１９】
カメラ本体３の前面にはマウント部３ａが設けられており、マウント部３ａには不図示のレンズ装置が装着される。カメラ本体３に設けられたレリーズボタン３ｂを半押しすると、撮影準備動作（測光動作や焦点調節動作等）が開始され、レリーズボタン３ｃを全押しすると、撮影動作（カメラ本体３内に設けられた撮像素子又はフィルムへの露光）が開始される。
【００２０】
次に、カメラ本体３内に設けられ、照明ユニット１を格納位置に保持させる係合機構について説明する。
【００２１】
図１は、本実施例のカメラ本体における一部の構成を示す概略図である。ここで、図１は、照明ユニットが格納位置にあるときの状態を示している。
【００２２】
図１において、照明ユニット１は、カメラ本体３に固定された軸部２によって回動可能に支持されている。なお、本実施例では、照明ユニット１が突出位置と格納位置との間で回動する構成であるが、他の構成であっても本発明を適用することができる。すなわち、照明ユニットを撮影光軸と略直交する面内で移動させる（例えば、カメラ本体の上下方向に移動させる）ことによって、カメラ本体から突出させたり、カメラ本体に格納させたりすることができる。
【００２３】
第１のバネ部材４は、一端側が照明ユニット１に係合し、他端側がカメラ本体３に係合している。これにより、付勢部材４は、照明ユニット１を突出位置の方向、すなわち矢印Ａで示す方向に付勢する。
【００２４】
５は係合レバー（レバー部材）であり、カメラ本体３に固定された係合レバー軸６によって回動可能に支持されている。係合レバー５には第２のバネ部材（付勢部材）７が取り付けられており、第２のバネ部材７は係合レバー５を矢印Ｂに示す方向、すなわち、係合レバー軸６を中心として図１中時計方向（特定方向）に付勢する。
【００２５】
８は被係合部材であり、照明ユニット１の特定の位置に固定されている。被係合部材８は、係合レバー５に形成された第１の係合爪（係合部）５ａと係合する第１の被係合部８ａと、係合レバー５に形成された第２の係合爪（伝達部）５ｂと係合する第２の被係合部（当接部）８ｂとを有している。
【００２６】
なお、本実施例では、１つの部材である被係合部材８に第１の被係合部８ａおよび第２の被係合部８ｂを形成しているが、第１の被係合部８ａおよび第２の被係合部８ｂを別々の部材で構成してもよい。また、第１の被係合部８ａおよび第２の被係合部８ｂを、照明ユニット１の外装部材等に一体的に形成してもよい。
【００２７】
ここで、後述するように第１の係合爪５ａが第１の被係合部８ａに係合することで、照明ユニット１は格納位置に保持される。
【００２８】
９は係合レバー退避部材であり、カメラ本体３に対して回転可能に取り付けられている。係合レバー退避部材９は、不図示の動力伝達機構を介してアクチュエータ１１に連結されており、アクチュエータ１１からの駆動力を受けることで一方向（図１中の時計方向）に回転する。
【００２９】
係合レバー退避部材９は、上記一方向への回転によって、係合レバー５に形成された当接部５ｃに当接し、係合レバー５を第２のバネ部材７の付勢力に抗して図１中反時計方向に回動させる。
【００３０】
なお、本実施例では、アクチュエータ１１の駆動力によって係合レバー退避部材９を回転させる構成であるが、他の構成によって係合レバー退避部材９を回転させるようにしてもよい。例えば、カメラ本体３に係合レバー退避部材９を一方向に回転させるための操作部材をカメラ本体３に設け、使用者が上記操作部材を操作することによって係合レバー退避部材９を回転させるようにしてもよい。
【００３１】
次に、上述した構成のカメラ本体において、照明ユニット１を突出位置および格納位置間で移動させるときの動作について説明する。まず、照明ユニット１を格納位置から突出位置に移動させるときの動作について説明する。
【００３２】
照明ユニット１が格納位置にある状態（図１に示す状態）では、係合レバー５の第１の係合爪５ａが、被係合部材８の第１の被係合部８ａと係合している。ここで、第２のバネ部材７の付勢力は、第１のバネ部材４の付勢力よりも大きくなるように設定されているため、第２のバネ部材７の付勢力を受けた第１の係合爪５ａは、第１のバネ部材４の付勢力に抗して第１の被係合部８ａをカメラ本体３側に押し込む。これにより、照明ユニット１は、格納位置に保持される。
【００３３】
第１の係合爪５ａおよび第１の被係合部８ａは、図１に示すように、係合レバー軸６の位置よりもカメラ本体３の前面側（図１の右側）の位置、すなわち、係合レバー軸６の位置に対して照明ユニット１の軸部２側とは反対側の位置で係合している。
【００３４】
このように構成することで、例えば、第１の係合爪５ａおよび第１の被係合部８ａを係合レバー軸６と同じ位置（カメラ本体の上下方向において略同じ位置）で係合させる場合（従来の構成）に比べて、第１の係合爪５ａが第１の被係合部８ａをカメラ本体３側に押す力を大きくすることができる。すなわち、第２のバネ部材７の付勢力を受けた係合レバー５の回転力のうち第１の被係合部８ａをカメラ本体３側（図１中下側）に押す成分（カメラ本体３の上下方向の成分）を増加させることができる。
【００３５】
これにより、上記従来の構成に比べて、第２のバネ部材７のバネ力（係合レバー５の付勢力）を小さくしても、照明ユニット１を格納位置に保持させることができる。また、第２のバネ部材７のバネ力を小さくした分だけ、係合レバー退避部材９を回転させるアクチュエータの駆動力を小さくすることができる。
【００３６】
図１に示す状態において、アクチュエータ１１を駆動することで、係合レバー退避部材９を一方向に回転させると、図２に示すように係合レバー退避部材９が係合レバー５の当接部５ｃに当接して、係合レバー５を第２のバネ部材７の付勢力に抗して図１中反時計方向に回動させる。
【００３７】
これにより、第１の係合爪５ａおよび第１の被係合部８ａの係合が解除され、照明ユニット１は第１のバネ部材４の付勢力を受けることで、格納位置から突出位置の方向に回動する。
【００３８】
照明ユニット１が格納位置から突出位置まで移動すると、係合レバー５は第２のバネ部材７の付勢力によって図２中時計方向に回動し、不図示のストッパ部材に当接することで図３に示す状態となる。
【００３９】
次に、照明ユニット１を突出位置から格納位置に移動させるときの動作について説明する。
【００４０】
突出位置（図６に示す位置）にある照明ユニット１を、第１のバネ部材４の付勢力に抗して格納位置の方向に回動させる（手動等によって回動させる）と、図３に示すように、まず第２の被係合部８ｂが第２の係合爪５ｂのテーパ面５ｂ１に当接する。
【００４１】
図３に示す状態から照明ユニット１をさらに格納位置の方向に回動させると、第２の被係合部８ｂが第２の係合爪５ｂのテーパ面５ｂ１を押すことで、係合レバー５が第２のバネ部材７の付勢力に抗して図３中反時計方向に回動する。ここで、係合レバー５の第２の係合爪５ｂのテーパ面５ｂ１は、第２の被係合部８ｂによって押されることで、係合レバー５を係合解除位置の方向に回転させるカムとして機能している。
【００４２】
図４は、第２の係合爪５ｂが第２の被係合部８ｂによって押されて係合レバー５が回動したときの状態を示す。
【００４３】
図４に示す状態から照明ユニット１をさらに格納位置の方向に回動させると、まず、第２の係合爪５ｂが第２のバネ部材７の付勢力によって第２の被係合部８ｂに係合する。このとき、第１の被係合部８ａの一部は、第１の係合爪５ａの移動軌跡１０上に位置している。このため、第２のバネ部材７の付勢力を受けている第１の係合爪５ａが、第１の被係合部８ａに係合して照明ユニット１を格納位置に回動させる。
【００４４】
すなわち、第２の係合爪５ｂが第２の被係合部８ｂに当接し始める位置まで照明ユニット１を手動操作等によって回動させると、その後は、第２のバネ部材７の付勢力を受けた係合レバー５によって照明ユニット１は格納位置まで自動的に移動することになる。これにより、照明ユニット１は格納位置で保持される。
【００４５】
係合レバー５が被係合部材８との係合が解除された状態（非係合状態）にあるときの第１の係合爪５ａは、図１に示す状態（第１の被係合部８ａとの係合状態）にあるときの第１の係合爪５ａの位置に対して、係合レバー５が第２のバネ部材７の付勢力を受けて回動する方向に位置している（待機位置にある）。
【００４６】
すなわち、非係合状態にあるときの係合レバー５は、照明ユニット１と係合した状態にあるときの位置よりも、矢印Ｂ方向に所定量回転している。そして、図５に示すように、非係合状態にあるときの第１の係止爪５ａは、照明ユニット１が格納位置（図１）にあるときの第１の被係合部５ａ（点線で示している）と一部で重なるようになっている。
【００４７】
このように構成することで、第１の係合爪５ａが第１の被係合部８ａと当接したときに、第１の被係合部８ａをカメラ本体３側に近づけて、照明ユニット１をカメラ本体３の上面に密接させることができるようになっている。
【００４８】
ここで、従来のように照明ユニット１を格納位置の方向に回動させて、第１の係合爪５ａを第１の被係合部８ａに単に係合させる構成、すなわち、第２の係合爪５ｂおよび第２の被係合部８ｂを設けない構成では、第１の被係合部８ａを第１の係合爪５ａに係合させることができない。
【００４９】
本実施例では、照明ユニット１が突出位置から格納位置の方向に回動する際に、第２の被係合部８ｂによって第２の係合爪５ｂを押して、係合レバー５を回動させることで、第１の係合爪５ａを第１の被係合部５ａと係合する位置から一旦退避させている。そして、第１の係合爪５ａを退避させた状態で、第１の被係合部５ａを係合位置まで移動させることで、第１の係合爪５ａを第１の被係合部５ａに係合させることができる。
【００５０】
本実施例では、第２のバネ部材７のバネ力を増加させなくても、照明ユニット１をカメラ本体３の上面に密接させることができるため、照明ユニットと係合する際の摩擦力が増加することはない。このため、係合レバー５および被係合部材８が摩耗してしまうのを抑制することができる。
【図面の簡単な説明】
【００５１】
【図１】本発明の実施例１において、照明ユニットが格納位置にあるときのカメラ本体の概略図である。
【図２】実施例１において、係合レバーおよび被係合部材の係合が解除されたときのカメラ本体の概略図である。
【図３】実施例１において、係合レバーおよび被係合部材が係合前の状態にあるときのカメラ本体の概略図である。
【図４】実施例１において、係合レバーが被係合部材に係合する直前の状態にあるときのカメラ本体の概略図である。
【図５】照明ユニットが格納位置にあるときの被係合部材の位置と、非係合状態にあるときの係合レバーの位置との関係を示す図である。
【図６】実施例１におけるカメラ本体の外観斜視図である。
【符号の説明】
【００５２】
１：照明ユニット
３：カメラ本体
５：係合レバー（レバー部材に対応）
５ａ：第１の係合爪（係合部に対応）
５ｂ：第２の係合爪（伝達部に対応）
７：第２のバネ部材（付勢部材に対応）
【図１】
2006003461.tif 000003
【図２】
2006003461.tif 000004
【図３】
2006003461.tif 000005
【図４】
2006003461.tif 000006
【図５】
2006003461.tif 000007
【図６】
2006003461.tif 000008